(57)【特許請求の範囲】
【請求項１】
配線ダクトを着脱自在とするための取付手段を設けたフレームであって、前記取付手段は、前記配線ダクトが嵌合する形状の凹部に突起部を備えたものであり、
前記突起部は、前記配線ダクトに穿設された開口に嵌合する、フレーム。
【請求項２】
前記凹部は、開口部の幅よりも底部の幅が広いことを特徴とする請求項１に記載のフレーム。
【請求項３】
前記突起部が、配線導出口の幅よりも狭くて前記凹部の最上端から最下端に向かって広がった断面形状を有することを特徴とする請求項１に記載のフレーム。
【請求項４】
前記突起部が、前記凹部の最下端に形成された略キノコ状である断面形状を有することを特徴とする請求項１に記載のフレーム。
【請求項５】
請求項１乃至４のいずれか一つに記載のフレームを備えたコンベヤ。
【発明の詳細な説明】
【技術分野】
【０００１】
本発明は、建築物、産業機械等において、電線を整理、保護するために収容して配置する配線ダクトの取付手段に関する。特に、物流機器における配線ダクトの取付手段を有するフレームに関する。
【背景技術】
【０００２】
従来、建築物、産業機械等において、電線を整理、保護するために収容して配置する配線ダクトの取付手段は、工具等を用いて取付補助具を予め設置し、更に、工具等を用いてその取付補助具を介して配線ダクトを固定するものであり、ある程度の空間を必要とし、着脱に労力を要するものであった。例えば、配線ダクトを配置する箇所に取付孔を設けた取付レール等を固定しておき、配線ダクトにも設けられた取付孔を用いて、ネジやボルト、リベット、結束バンド等で取付ける方法がある。更に、配線ダクトの取付に際しては工具を用いない方法として、配線ダクトを配置する箇所に設けた嵌め込み補助具をネジやボルトで固定した取付レール等を設置しておき、配線ダクトを嵌め込む方法がある。いずれにしても、工具を用いて取付補助具を設置するということに変わりはなく、配線ダクトを固定するための空間がある程度必要であり、着脱が容易ではない。従って、このような方法では、特に、産業機械等のように、非常に狭い空間に多数の電線を整理、保護するための配線ダクトを取付け、取り外すことは容易なことではなかった。
【発明の概要】
【発明が解決しようとする課題】
【０００３】
上記背景技術に示したように、従来の配線ダクトの取付手段における上述の課題を解決すべく、本発明は、建築物、産業機械等において、工具を用いることなく着脱が容易な配線ダクトの取付手段を提供することを目的としている。特に、産業機械等において、非常に狭い空間に多数の電線を整理、保護するための配線ダクトを配置することができ、工具を用いることなく容易に着脱可能な配線ダクトの取付手段を有するフレームを提供することを目的としている。
【課題を解決するための手段】
【０００４】
本発明者は、建築物や産業機械等を構成するフレームを利用して、そこに配線ダクトを嵌合する凹部を備えた配線ダクトの取付手段を形成することによって、非常に狭い空間に多数の電線を整理、保護するための配線ダクトを配置することができ、工具を用いることなく容易に着脱できることを見出し、本発明の完成に至った。
【０００５】
すなわち、本発明は、配線ダクトを着脱自在とするための取付手段を設けたことを特徴とするフレームを提供するものである。特に、この取付手段は、配線ダクトが嵌合する形状の凹部がフレームに形成されていればよく、フレームを内部に形成しても良いし、外部に形成してもよい。
配線ダクトが着脱自在であるためには、配線ダクトの嵌合する凹部の形状が、開口部の幅よりも底部の幅が広い構造であることやその凹部に突起部を備えた構造であることがより好ましい。
【０００６】
特に、配線ダクトに配線導出口を有する場合、本発明は、上記凹部の突起部が、配線導出口の幅よりも狭くて凹部の最上端から最下端に向かって広がった形状である配線ダクトの取付手段が形成されたことを特徴とするフレームを提供するものである。
【０００７】
また、配線ダクトに取付孔を有する場合、上記凹部の突起部が、凹部最下端に形成されたキノコ状突起部である取付手段が形成されたことを特徴とするフレームである。
【０００８】
そして、本発明は、上述のいずれかの構成を備えた配線ダクトの取付手段が形成されたコンベヤフレームを備えたことを特徴とするコンベヤを提供するものである。
【発明の効果】
【０００９】
本発明は、配線ダクトを嵌合する凹部を備えた配線ダクトの取付手段が、建築物や産業機械等を構成するフレームに形成されることによって、非常に狭い空間に多数の電線を整理、保護するための配線ダクトを配置することができ、工具を用いることなく容易に着脱することが可能となる。
【００１０】
このように極めて簡単な取付手段であるが、フレームに取り付けることによって、配線ダクトの上下、左右、前後の三方向に対して、従来のネジやボルト等の取付方法よりもはるかに強固に固定される。更に、フレームは、板状の部分が備えられているものであればどのような材質や形状であっても、上記取付手段を形成することができる。
【００１１】
更に、本発明の配線ダクトの取付手段を備えたフレームは、建築物や産業機械等を組立てる前に予め形成することもできるが、組立てられた後に形成することもでき、配線ダクトの新設や再配置にも有効な取付方法であるといえる。
【図面の簡単な説明】
【００１２】
【図１】本発明の一実施形態に係る配線ダクトを嵌合する凹部を備えた配線ダクトの取付手段が形成されたフレーム及び配線ダクトの模式図である。
【図２】本発明の一実施形態に係る配線ダクトを嵌合する凹部の最上端に突起部を備えた取付手段が形成されたフレーム及び配線ダクトの模式図である。
【図３】図２に示した本発明の一実施形態に係る配線ダクトの取付手段を用いて、フレームに配線ダクトを取り付けた模式図である。
【図４】本発明の一実施形態に係る配線ダクトを嵌合する凹部の最下端に突起部を備えた取付手段が形成されたフレーム及び配線ダクトの模式図である。
【図５】図４に示した本発明の一実施形態に係る配線ダクトの取付手段を用いてフレームに配線ダクトを取り付けた模式図である。
【図６】配線ダクトを嵌合する凹部の最上端に突起部を備えた取付手段の様々な実施形態を示す図２のＩの部分を拡大した断面の模式図である。
【図７】配線ダクトを嵌合する凹部の最下端に突起部を備えた取付手段の様々な実施形態を示す図４のIIの部分を拡大した断面の模式図である。
【図８Ａ】本発明の一実施形態に係る配線ダクト取付手段を形成したコンベヤフレームの模式図である。
【図８Ｂ】本発明の一実施形態に係る配線ダクト取付手段を形成したコンベヤフレームの模式図である。
【図８Ｃ】本発明の一実施形態に係る配線ダクト取付手段を形成したコンベヤフレームの模式図である。
【図９】図８Ａ〜図８Ｃに示した本発明の一実施形態に係る配線ダクト取付手段を形成したコンベヤフレームの取付部IIIを拡大した模式図である。
【発明を実施するための形態】
【００１３】
以下、本発明を、図面に表わした実施形態を用いてより詳細に説明するが、本発明は、これらの実施形態に限定されるものではなく、特許請求の範囲に記載した技術思想によってのみ限定されるものである。
【００１４】
図１は、本発明の一実施形態に係る配線ダクト１を嵌合する凹部を備えた配線ダクトの取付手段が形成されたフレーム及び配線ダクトの模式図である。配線ダクト１は、通常配線ダクト本体２に、図には記載していない電線が整理、保護のために収容され開閉可能な配線ダクトカバー３が装着されている。この配線ダクト１を嵌合する凹部６は、配線ダクト本体２の断面形状（の一部）とほぼ同一乃至は凹部最上端Ａ（図６参照）から凹部最下端Ｂ（図６参照）に向かってやや拡がりを持っていることが緊合するためには好ましい。このような凹部６を形成するフレームの材質としては、ステンレス、アルミニウム、スチール等の金属及び金属合金、合成樹脂等、特に制限なく採用することができる。また、凹部６の形成方法は、フレームの材質によって、また、建築物や産業機械等の組立て前後にするか否かによって異なるが、それぞれに応じた一般的な加工方法によって形成することができる。一方、この取付手段に用いることができる配線ダクト１の材質、形状等にも特に制限はなく、上記建築物や産業機械等のフレームの要求に応じて選択されたものが用いられうる。材質は、フレームと同様に、金属或は合成樹脂等が用いられ、配線ダクト本体２に設けられる配線導出口４の有無にかかわらない。
【００１５】
また、図１には示していないが、フレームに形成された凹部に突起部が形成されていることが、より緊合するためには好ましい。突起部の形状や場所に特に制限はなく、嵌め込んだ状態で、配線ダクト本体２を圧迫するものであればよい。
【００１６】
図２は、本発明の異なる実施形態に係る配線ダクト１を嵌合する凹部６の最上端に突起部７を備えた取付手段が形成されたフレーム５及び配線ダクト１の模式図であり、図３は、図２に示した配線ダクトの取付手段を用いて、フレーム５に配線ダクト１を取り付けた様子を示した模式図である。
【００１７】
一方、図４は、本発明の更に異なる実施形態に係る配線ダクト１を嵌合する凹部６の最下端Ｂに突起部９を備えた取付手段が形成されたフレーム５及び配線ダクト１の模式図であり、図５は、図４に示した取付手段を用いてフレーム５に配線ダクト１を取り付けた様子を示した模式図である。
【００１８】
図２及び３に示したフレーム５の凹部６の最上端Ａに形成した突起部７を備えた取付手段が適用できる配線ダクトは、配線ダクト本体２に配線導出口４が形成されていることが好ましい。図３から明らかなように、突起部７が配線導出口４に嵌合し、配線ダクト１が、フレーム５の上下、左右、前後、いずれの方向にも移動することができず、極めて強固に固定される。この突起部７の形状は、例えば、図６の（ａ）、（ｂ）、及び、（ｃ）に示したように、フレーム５の凹部６の最上端Ａから下の方向に拡がりを有するものが好適には適しているが、その形に特に制限はない。上述したように、材質にも制限はなく、形成方法についても一般的な方法が用いられる。
【００１９】
図４及び５に示したフレーム５の凹部６の最下端Ｂに突起部９を備えた取付手段が適用できる配線ダクトは、配線ダクト本体２の底面に配線取付孔８が設けられているものに限定されるが、配線導出口４の有無にかかわらず適用することができ、フレーム５の幅等の形状も特に制限がない。この場合にも、フレーム５の上下、左右、前後、いずれの方向にも移動することができず、極めて強固に固定される。この突起部９の形状は、例えば、図７の（ａ）、（ｂ）、及び、（ｃ）に示したように、特に制限はなく嵌合を可能にする何らかのひっかかり手段であればよいが、略キノコ状であることが好ましい。上述したように、材質にも制限はなく、形成方法についても一般的な方法が用いられる。
【００２０】
以上、本発明の各実施形態に係る配線ダクトを嵌合する凹部を備えた配線ダクトの取付手段が形成されたことを特徴とするフレームは、建築物や産業機械等に幅広く適用することができるが、ローラコンベヤに適用した代表例を図８Ａ〜図８Ｃ及び９に示す。
【００２１】
図８Ａは、直線形ローラコンベヤ１０の平面図、図８Ｂはその正面図、及び、図８Ｃはその側面図である。直線形ローラコンベヤ１０には、搬送ローラ１１を挟持する搬送ローラコンベヤフレーム１２、搬送ローラ１１及び搬送ローラコンベヤフレーム１２を支える支持脚コンベヤフレーム１３、支持脚コンベヤフレーム１３を補強する支持脚補強コンベヤフレーム１４等、様々なフレームがある。図８Ｃの側面図から明らかなように、ここでは、支持脚補強コンベヤフレーム１４に多数の電線１５を整理、保護するために収納する配線ダクト１を取付ける例を示している。
【００２２】
図９は、図８ＣのIIIの部分を拡大した模式図である。支持脚補強コンベヤフレーム１４に、図２に示したタイプの配線ダクト１を嵌合する凹部６の最上端に突起部７を備えた取付手段を形成している。このように、本発明を用いることによって、コンベヤを制御する多数の電線が収納された配線ダクトが、狭い空間を利用して、工具を用いることなく簡単に着脱でき、コンベヤの組立て前後に関わらず、配線ダクトを新設及び再配置することができる。
【００２３】
以上、本発明を図面を用いて詳細に説明したが、一実施形態であり、この実施形態によって本発明が限定されるものではない。
【産業上の利用可能性】
【００２４】
本発明の配線ダクトを嵌合する凹部を備えた配線ダクトの取付手段が形成されたことを特徴とするフレームは、建築物や産業機械等のあらゆるフレームに適用することができる。中でも、デジタルピッキングシステムに代表される物流搬送装置において、制御システムの高度化に伴い、多数の電線を様々な経路に配置しなければならず、これらの電線を整理し保護するための配線ダクトを狭い空間に新設及び再配置しなければならないことに鑑みれば、本発明の配線ダクトの取付手段を備えたフレームは、特に物流搬送装置に適しているといえる。従って、本発明は物流業、建設業を含む各種産業にて大いなる利用可能性を有している。
【符号の説明】
【００２５】
１  配線ダクト
２  配線ダクト本体
３  配線ダクトカバー
４  配線導出口
５  配線ダクト取付フレーム
６  配線ダクト取付凹部
７  配線ダクト取付突起部
８  配線ダクト取付孔
９  配線ダクト取付突起部
１０  直線形ローラコンベヤ
１１  搬送ローラ
１２  搬送ローラコンベヤフレーム
１３  支持脚コンベヤフレーム
１４  支持脚補強コンベヤフレーム
１５  電線
I，II，III  配線ダクト取り付け手段
Ａ  配線ダクト取付凹部最上端
Ｂ  配線ダクト取付凹部最下端
【図１】
0006727695.tif 000002
【図２】
0006727695.tif 000003
【図３】
0006727695.tif 000004
【図４】
0006727695.tif 000005
【図５】
0006727695.tif 000006
【図６】
0006727695.tif 000007
【図７】
0006727695.tif 000008
【図８Ａ】
0006727695.tif 000009
【図８Ｂ】
0006727695.tif 000010
【図８Ｃ】
0006727695.tif 000011
【図９】
0006727695.tif 000012